(57)【要約】【課題】動作信頼度に優れた過圧解消メカニズムと組立信頼度が向上した密封メカニズムを実現する。【解決手段】噴射容器は、内容物の収容空間を形成するハウジングと、中央に形成される突出部１２２を備え、ハウジングの上端に結合されるマウンティングカップ１２０と、これに係止され、内部に収容空間に連通する中空部２２２が形成されるステムハウジング２２０と、摺動により中空部２２２に選択的に連通するバルブステム２１０と、突出部１２２の下端とステムハウジング２２０の外周面間を密封する下端シール部２７０と、これの上側に位置し、突出部１２２の内側面を貫通する貫通孔１２４と、一端は中空部２２２に連結され、他端はハウジングの側面に向かい、収容空間の圧力により開閉される過圧防止バルブ２５０と、これの開放により、過圧防止バルブ２５０の一端と貫通孔１２４とを連通して内容物を排出する排出流路部２６０と、を含む。【選択図】図６
2011240990.tif 000002
【特許請求の範囲】
【請求項１】
内容物の収容空間を形成するハウジングと、
中央に形成される突出部、及び前記突出部の内側面から突出する係止突起を備え、前記ハウジングの上端に結合されるマウンティングカップと、
少なくとも一部が前記係止突起に係止され、内部に前記収容空間に連通する中空部が形成されるステムハウジングと、
前記中空部に摺動可能に配置され、前記摺動により前記中空部に選択的に連通するオリフィスを備えるバルブステムと、
前記係止突起の下側に位置し、前記突出部の下端と前記ステムハウジングの外周面間を密封する下端シール部と、
前記下端シール部の上側に位置し、前記突出部の内側面を貫通する少なくとも１つの貫通孔と、
一端は前記中空部に連結され、他端は前記ハウジングの側面に向かい、前記収容空間の圧力により開閉される過圧防止バルブと、
前記過圧防止バルブが開放されると前記内容物を排出するように、前記過圧防止バルブの一端と前記貫通孔とを連通する排出流路部と、
を含むことを特徴とする噴射容器。
【請求項２】
前記中空部に配置され、前記バルブステムの摺動と連動して前記オリフィスを開閉するように弾性変形する開閉部材と、
前記排出流路部が形成されるように前記中空部で前記バルブステムを囲み、一端部が前記突出部の上端を支持して他端部が前記開閉部材を支持するように形成されるマウント部材と、
をさらに含むことを特徴とする請求項１に記載の噴射容器。
【請求項３】
排出される内容物が前記貫通孔へ流動するように、前記マウント部材の一端部には、前記突出部の内側面に向かって突出する流動ガイドが形成されることを特徴とする請求項２に記載の噴射容器。
【請求項４】
前記流動ガイド及び前記貫通孔は、それぞれ複数備えられ、前記マウント部材の外周及び前記突出部の外周に沿って特定の間隔で配置されることを特徴とする請求項３に記載の噴射容器。
【請求項５】
前記下端シール部は、
前記ステムハウジングから半径方向に突出形成される突出枠部と、
前記突出部の下端と前記突出枠部との間に圧縮された状態で固定されるＯリングと、
を含むことを特徴とする請求項１に記載の噴射容器。
【請求項６】
前記突出枠部は、前記過圧防止バルブと連結され、前記突出枠部の上面には、前記Ｏリングが載置されるように湾曲面が形成されることを特徴とする請求項５に記載の噴射容器。
【請求項７】
前記過圧防止バルブは、
前記ステムハウジングから前記バルブステムの摺動方向に対して垂直に突出し、前記中空部に連通する内部空間を備える第１ボディと、
前記第１ボディに結合されて前記第１ボディの突出方向に延び、前記収容空間に連通する開口を備える第２ボディと、
前記開口を閉塞する閉塞部材を付勢する弾性部材と、
を含むことを特徴とする請求項１に記載の噴射容器。
【請求項８】
前記第１ボディと前記第２ボディの少なくとも一方に配置され、前記弾性部材の初期弾性力を調節する調節部をさらに含むことを特徴とする請求項７に記載の噴射容器。
【請求項９】
前記調節部は、
前記第２ボディに形成され、前記第１ボディの少なくとも一部を収容するか、または前記第１ボディの内部空間に挿入される収容部と、
前記第２ボディが回転すると前記第２ボディが前記第１ボディに沿って移動するように、前記収容部と前記第１ボディを螺合する螺合部と、
を含むことを特徴とする請求項８に記載の噴射容器。
【請求項１０】
前記第１ボディには、外周に沿って溝が形成され、前記第２ボディには、前記溝に係止されるようにフックが備えられ、前記溝と前記フックとの間には、前記第１ボディと前記第２ボディとの間が密封されるように密封部材が装着されることを特徴とする請求項７に記載の噴射容器。
【請求項１１】
前記ステムハウジングは、
前記バルブステムと平行に形成される垂直設置部と、
前記垂直設置部から前記ハウジングの側面に向けて折曲されて延びる水平延長部と、
を含むことを特徴とする請求項１に記載の噴射容器。
【請求項１２】
前記過圧防止バルブは、
前記ステムハウジングから前記バルブステムの摺動方向に対して垂直に突出する第１ボディと、
前記第１ボディに結合されて前記第１ボディの突出方向に延びる第２ボディと、
を含み、
前記第１ボディと前記水平延長部との間には、前記第２ボディの少なくとも一部が挿入される挿入溝が形成されることを特徴とする請求項１１に記載の噴射容器。
【請求項１３】
前記過圧防止バルブは、
前記中空部に連通する内部空間と、前記内部空間の一端に形成される開口とを備え、前記水平延長部の外周面に形成され、前記垂直延長部から突出するボディと、
前記内部空間に収容され、前記開口を閉塞する閉塞部材を付勢する弾性部材と、
前記内部空間に収容され、前記閉塞部材を支持するように前記開口に装着され、前記内部空間と前記収容空間とを連通するように貫通孔を備える支持部材と、
を含むことを特徴とする請求項１１に記載の噴射容器。
【請求項１４】
前記ステムハウジングは、長手方向に延びるように形成され、
前記内容物の排出をガイドするように、前記ステムハウジングの一端には、前記長手方向に沿って凹んで前記中空部から前記突出部の内側面に向かって貫通するガイド溝が形成されることを特徴とする請求項１に記載の噴射容器。
【請求項１５】
ハウジングの上端に固定されて中央に突出部が形成されたマウンティングカップの前記突出部の内部に支持されるバルブアセンブリにおいて、
前記突出部の内側面から突出する係止突起に係止され、内部に前記ハウジングの収容空間に連通する中空部が形成されるステムハウジングと、
前記中空部に摺動可能に配置され、前記摺動により前記中空部に選択的に連通するオリフィスを備えるバルブステムと、
前記係止突起の下側に位置し、前記突出部の下端と前記ステムハウジングの外周面間を密封する下端シール部と、
前記下端シール部の上側に位置し、前記突出部の内側面を貫通する少なくとも１つの貫通孔と、
一端は前記中空部に連結され、他端は前記ハウジングの側面に向かい、前記収容空間の圧力により開閉される過圧防止バルブと、
前記過圧防止バルブが開放されると前記内容物を排出するように、前記過圧防止バルブの一端と前記貫通孔とを連通する排出流路部と、
を含むことを特徴とする噴射容器のバルブアセンブリ。
【発明の詳細な説明】
【技術分野】
【０００１】
本発明は、マウンティングカップとバルブアセンブリの密封メカニズム、及び噴射容器の過圧解消メカニズムに関する。
【背景技術】
【０００２】
一般に、噴射容器とは、噴射する内容物（流体またはガス）をハウジングの内部に密封した状態で、内圧を利用して内容物を外部に噴射できるようにした容器をいう。このような噴射容器の代表的な例としては、携帯用ガス容器、殺虫スプレー、ヘアスプレー、携帯用エアゾール消火器、ガスライター容器などがある。
通常、噴射容器は、内容物を充填するためのハウジング（缶）と、前記ハウジングの上端に固定されるマウンティングカップと、前記マウンティングカップの中央突出部に固定されるバルブアセンブリとを含む形態となっている。前記バルブアセンブリは、前記噴射容器の未使用時は密閉された状態を維持し、使用時にのみ内容物が流出するようにする。
【０００３】
前記噴射容器は、使用中または保管中、熱的、機械的、または化学的な理由で過圧状態に至ることがあり、前記バルブアセンブリの密封メカニズムに関連して、過圧による誤動作や爆発などが発生する前に過圧を解消する手法が考えられている。
【発明の概要】
【発明が解決しようとする課題】
【０００４】
本発明は、このような問題を解決するためになされたものであり、従来とは異なる形態の密封メカニズム及び過圧解消メカニズムを備える噴射容器及びそのバルブアセンブリを提供することを目的とする。
本発明の他の目的は、より動作信頼度に優れ、噴射容器の作動を維持しつつ過圧を解消することのできる過圧解消メカニズムを提供することにある。
【０００５】
本発明のさらに他の目的は、マウンティングカップに固定されるバルブアセンブリの密封構造を改善することにより、バルブアセンブリの組立信頼度を向上させることにある。
【課題を解決するための手段】
【０００６】
上記目的を達成するために、本発明の一態様による噴射容器は、内容物の収容空間を形成するハウジングと、中央に形成される突出部、及び前記突出部の内側面から突出する係止突起を備え、前記ハウジングの上端に結合されるマウンティングカップと、少なくとも一部が前記係止突起に係止され、内部に前記収容空間に連通する中空部が形成されるステムハウジングと、前記中空部に摺動可能に配置され、前記摺動により前記中空部に選択的に連通するオリフィスを備えるバルブステムと、前記係止突起の下側に位置し、前記突出部の下端と前記ステムハウジングの外周面間を密封する下端シール部と、前記下端シール部の上側に位置し、前記突出部の内側面を貫通する少なくとも１つの貫通孔と、一端は前記中空部に連結され、他端は前記ハウジングの側面に向かい、前記収容空間の圧力により開閉される過圧防止バルブと、前記過圧防止バルブが開放されると前記内容物を排出するように、前記過圧防止バルブの一端と前記貫通孔とを連通する排出流路部とを含む。
【０００７】
本発明に係る一例によれば、前記噴射容器は、開閉部材及びマウント部材を含む。前記開閉部材は、前記中空部に配置され、前記バルブステムの摺動と連動して前記オリフィスを開閉するように弾性変形する。前記マウント部材は、前記排出流路部が形成されるように前記中空部で前記バルブステムを囲み、一端部が前記突出部の上端を支持して他端部が前記開閉部材を支持するように形成される。
【０００８】
本発明に係る他の一例によれば、排出される内容物が前記貫通孔へ流動するように、前記マウント部材の一端部には、前記突出部の内側面に向かって突出する流動ガイドが形成される。前記流動ガイド及び前記貫通孔は、それぞれ複数備えられ、前記マウント部材の外周及び前記突出部の外周に沿って特定の間隔で配置される。
本発明に係るさらに他の一例によれば、前記下端シール部は、突出枠部及びＯリングを含む。前記突出枠部は、前記ステムハウジングから半径方向に突出形成され、前記Ｏリングは、前記突出部の下端と前記突出枠部との間に圧縮された状態で固定される。前記突出枠部は、前記過圧防止バルブと連結され、前記突出枠部の上面には、前記Ｏリングが載置されるように湾曲面が形成される。
【０００９】
本発明に係るさらに他の一例によれば、前記過圧防止バルブは、第１ボディ、第２ボディ、及び弾性部材を含む。前記第１ボディは、前記ステムハウジングから前記バルブステムの摺動方向に対して垂直に突出し、前記中空部に連通する内部空間を備える。前記第２ボディは、前記第１ボディに結合されて前記第１ボディの突出方向に延び、前記収容空間に連通する開口を備える。前記弾性部材は、前記開口を閉塞する閉塞部材を付勢する。
【００１０】
本発明に係るさらに他の一例によれば、前記噴射容器は調節部を含む。前記調節部は、前記第１ボディと前記第２ボディの少なくとも一方に配置され、前記弾性部材の初期弾性力を調節する。前記調節部は、収容部及び螺合部を含む。前記収容部は、前記第２ボディに形成され、前記第１ボディの少なくとも一部を収容するか、または前記第１ボディの内部空間に挿入される。前記螺合部は、前記第２ボディが回転すると前記第２ボディが前記第１ボディに沿って移動するように、前記収容部と前記第１ボディを螺合する。
【００１１】
本発明に係るさらに他の一例によれば、前記第１ボディには、外周に沿って溝が形成され、前記第２ボディには、前記溝に係止されるようにフックが備えられ、前記溝と前記フックとの間には、前記第１ボディと前記第２ボディとの間が密封されるように密封部材が装着される。
本発明に係るさらに他の一例によれば、前記ステムハウジングは、前記バルブステムと平行に形成される垂直設置部と、前記垂直設置部から前記ハウジングの側面に向けて折曲されて延びる水平延長部とを含む。前記過圧防止バルブは、前記ステムハウジングから前記バルブステムの摺動方向に対して垂直に突出する第１ボディと、前記第１ボディに結合されて前記第１ボディの突出方向に延びる第２ボディとを含み、前記第１ボディと前記水平延長部との間には、前記第２ボディの少なくとも一部が挿入される挿入溝が形成される。
【００１２】
本発明に係るさらに他の一例によれば、前記過圧防止バルブは、ボディ、弾性部材、及び支持部材を含む。前記ボディは、前記中空部に連通する内部空間と、前記内部空間の一端に形成される開口とを備え、前記水平延長部の外周面に形成され、前記垂直延長部から突出している。前記弾性部材は、前記内部空間に収容され、前記開口を閉塞する閉塞部材を付勢する。前記支持部材は、前記内部空間に収容され、前記閉塞部材を支持するように前記開口に装着され、前記内部空間と前記収容空間とを連通するように貫通孔を備える。
【００１３】
本発明に係るさらに他の一例によれば、前記ステムハウジングは、長手方向に延びるように形成され、前記内容物の排出をガイドするように、前記ステムハウジングの一端には、前記長手方向に沿って凹んで前記中空部から前記突出部の内側面に向かって貫通するガイド溝が形成される。前記ステムハウジングの他端が前記過圧防止バルブの他端と同一方向を向くように、前記ステムハウジングは、少なくとも一部が前記長手方向に対して垂直に折曲される。
【００１４】
また、上記目的を達成するために、本発明は、ハウジングの上端に固定されて中央に突出部が形成されたマウンティングカップの前記突出部の内部に支持される、噴射容器のバルブアセンブリを提供する。前記バルブアセンブリは、前記突出部の内側面から突出する係止突起に係止され、内部に前記ハウジングの収容空間に連通する中空部が形成されるステムハウジングと、前記中空部に摺動可能に配置され、前記摺動により前記中空部に選択的に連通するオリフィスを備えるバルブステムと、前記係止突起の下側に位置し、前記突出部の下端と前記ステムハウジングの外周面間を密封する下端シール部と、前記下端シール部の上側に位置し、前記突出部の内側面を貫通する少なくとも１つの貫通孔と、一端は前記中空部に連結され、他端は前記ハウジングの側面に向かい、前記収容空間の圧力により開閉される過圧防止バルブと、前記過圧防止バルブが開放されると前記内容物を排出するように、前記過圧防止バルブの一端と前記貫通孔とを連通する排出流路部とを含む。
【発明の効果】
【００１５】
本発明に係る噴射容器及びそのバルブアセンブリによれば、シール部がステムハウジングの下側に位置して、突出部の下端とステムハウジングの外周面間を密閉する。このような下端密封構造は、組立過程でシール部の取付が容易であるだけでなく、強固な密閉力を提供する。
また、このような下端密封構造により、突出部の上下端間が大気圧状態となり、過圧を解消するための内容物の排出がマウンティングカップの半径方向に行われる。
【００１６】
さらに、本発明においては、過圧防止バルブがステムハウジングに対して垂直に配置されることにより、気体状態の内容物を排出することができる。これに加えて、収容空間、過圧防止バルブ、排出流路部、及び貫通孔とつながる独自の排出経路により、排出量の調節が可能であり、過圧の解消がより短時間で行われる。
さらに、本発明においては、調節部により、過圧防止バルブの圧力範囲の調節が可能になる。従って、より動作信頼度に優れた過圧解消メカニズムが実現される。
【図面の簡単な説明】
【００１７】
【図１】本発明の一実施形態による噴射容器の縦断面図である。
【図２】図１のバルブアセンブリの拡大断面図である。
【図３】図１の噴射容器から内容物が噴射される状態を説明するための縦断面図である。
【図４】図３のバルブアセンブリの拡大断面図である。
【図５】図１の噴射容器の内部における過圧解消メカニズムの作動を示す断面図である。
【図６】図５のバルブアセンブリの拡大断面図である。
【図７】図５のマウント部材及びステムハウジングを示す斜視図である。
【図８】本発明の他の実施形態によるバルブアセンブリの拡大断面図である。
【図９】本発明のさらに他の実施形態によるバルブアセンブリの拡大断面図である。
【図１０】本発明のさらに他の実施形態によるバルブアセンブリの拡大断面図である。
【発明を実施するための形態】
【００１８】
以下、本発明の好ましい実施形態による噴射容器及びそのバルブアセンブリについて、添付図面を参照して詳細に説明する。本明細書においては、異なる実施形態であっても同一または類似の構成要素には同一または類似の符号を付し、その説明は最初の説明を援用する。本明細書で用いられる単数の表現は、特に断らない限り、複数の表現を含む。
図１は本発明の一実施形態による噴射容器の縦断面図であり、図２は図１のバルブアセンブリの拡大断面図である。
【００１９】
同図を参照すると、噴射容器１００は、ハウジング１１０及びバルブアセンブリ２００を含む。
ハウジング１１０は、内容物及び噴射ガスが収容される収容空間Ｓを有するように形成される。前記内容物は、例えば流体またはガスなどである。
ハウジング１１０は、収容空間Ｓが形成された胴体１１１と、胴体１１１の両端部をそれぞれ密封する下部密封キャップ１１２及び上部密封キャップ１１３とを含む。下部密封キャップ１１２は、収容空間Ｓに所定レベルの過圧がかかった場合、収容空間Ｓの体積を拡大させるように変形する。このために、下部密封キャップ１１２は、収容空間Ｓに向かって湾曲した形状を有する。
【００２０】
胴体１１１は、所定の内圧に耐える金属缶などの形に形成され、高圧の気体または液体状態の燃料などが充填される。しかし、本発明はこれに限定されるものではなく、胴体１１１には殺虫剤、芳香剤、美容剤などを充填してもよい。
図に示すように、上部密封キャップ１１３の上端には、バルブアセンブリ２００を支持するためのマウンティングカップ１２０が結合される。
【００２１】
マウンティングカップ１２０は、例えばガスレンジなどの燃料取付機器への取り付けのための係合形状部１２１を含み、バルブアセンブリ２００を固定できるように、中央に突出部１２２が設けられている。場合によっては、係合形状部１２１は存在しなくてもよい（美容剤や殺虫剤などが充填される場合、噴射のための押圧ボタンを有するキャップが装着される。）。また、係合形状部１２１は同図とは異なる形状に形成してもよい。
【００２２】
バルブアセンブリ２００は、一端部が収容空間Ｓに配置されて他端部はハウジング１１０の外部に露出したままマウンティングカップ１２０に設置され、押圧により収容空間Ｓに充填された内容物を外部に噴射させる。
より具体的には、マウンティングカップ１２０の突出部１２２の上端からは、バルブアセンブリ２００を構成するバルブステム２１０の一部が貫通して外部に露出している。バルブステム２１０は、垂直方向に押圧可能に設置されており、その押圧により収容空間Ｓの内容物が噴射され、その押圧が解除されると内容物の噴射が中断される。
【００２３】
図２を参照すると、突出部１２２の内側面には係止突起１２３が突出している。係止突起１２３は、マウンティングカップ１２０の外面のクランプなどにより断面積を縮小することにより形成することができる。
係止突起１２３にはステムハウジング２２０が固定される。ステムハウジング２２０は、少なくとも一部が係止突起１２３に係止されるようになっている。
【００２４】
例えば、ステムハウジング２２０の外周面には周溝２２１が形成されており、突出部１２２の係止突起１２３が周溝２２１に向かって変形することにより、ステムハウジング２２０がマウンティングカップ１２０の突出部１２２に固定される。
ステムハウジング２２０の内部には、ハウジング１１０の収容空間Ｓに連通する中空部２２２が形成され、バルブステム２１０が中空部２２２に摺動可能に配置される。
【００２５】
以下、バルブアセンブリ２００の作動について、図３及び図４を参照してより詳細に説明する。図３は図１の噴射容器から内容物が噴射される状態を説明するための縦断面図であり、図４は図３のバルブアセンブリの拡大断面図である。
同図を参照すると、ステムハウジング２２０は、ステムハウジング２２０の長手方向に延びる垂直設置部２２０ａと、ハウジング１１０の側面に向けて折曲されて延びる水平延長部２２０ｂとを含む。垂直設置部２２０ａはバルブステム２１０の開閉のための部分であり、水平延長部２２０ｂは内容物の流入のための部分である。
【００２６】
バルブステム２１０には、バルブステム２１０の摺動により中空部２２２のうち垂直設置部２２０ａに対応する部分に選択的に連通するオリフィス２１１が形成される。バルブステム２１０の内部には通路２１２が備えられ、オリフィス２１１は通路２１２と中空部２２２とを連通する。
中空部２２２には開閉部材２３１が配置される。開閉部材２３１は、バルブステム２１０の摺動と連動してオリフィス２１１を開閉するように弾性変形する。より具体的には、ステムハウジング２２０の垂直設置部２２０ａには、開閉部材２３１が収容されるように断面積が縮小された段差２２３が形成される。
【００２７】
同図を参照すると、中空部２２２にはマウント部材２４０が挿入される。マウント部材２４０は、バルブステム２１０を囲み、一端部（図７の符号２４１を参照）がマウンティングカップ１２０の突出部１２２の上端を支持し、他端部（図７の符号２４２を参照）が開閉部材２３１を支持するように形成される。すなわち、開閉部材２３１はマウント部材２４０により加圧固定される。
【００２８】
押圧Ｆによりバルブステム２１０が摺動すると、開閉部材２３１が撓んで弾性変形して、ステムハウジング２２０の中空部２２２とバルブステム２１０の通路２１２とが連通することによって、内容物が噴射される。
逆に、バルブステム２１０を押圧していた力が除去されると、バルブステム２１０の下端を支持するスプリング２３２の弾性力により復元変形する。その結果、開閉部材２３１がバルブステム２１０に密着してオリフィス２１１を閉塞し、ガスの流出が遮断される。
【００２９】
以上のような噴射容器１００は密封メカニズム及び過圧解消メカニズムを備える。以下、噴射容器１００の密封メカニズム及び過圧解消メカニズムについて、図５〜図７を参照してより詳細に説明する。
図５は図１の噴射容器の内部における過圧解消メカニズムの作動を示す断面図であり、図６は図５のバルブアセンブリの拡大断面図であり、図７は図５のマウント部材及びステムハウジングを示す斜視図である。
【００３０】
同図を参照すると、ガスレンジなどの燃料取付機器に取り付けられる噴射容器１００は、横にした状態で配置され、所定時間の動作によって収容空間Ｓ内の内容物は２相の形で存在する。図５の上側は気体状態となり、下側は液体状態となる。
収容空間Ｓが過圧状態となると気体状態の内容物を排出するように、過圧防止バルブ２５０がバルブステム２１０に対して垂直に配置される。すなわち、過圧防止バルブ２５０は、一端がステムハウジング２２０の中空部２２２に連結され、他端はハウジング１１０の側面に向かうようになっている。また、ステムハウジング２２０の他端（開口が形成された部分）が過圧防止バルブ２５０の他端と同一方向を向くように、ステムハウジング２２０は、少なくとも一部が長手方向に対して垂直に折曲されて形成された水平延長部２２０ｂを有する。このような構造により、気体状態の内容物をバルブステム２１０または過圧防止バルブ２５０から排出することができる。
【００３１】
過圧防止バルブ２５０は、収容空間Ｓの圧力により開閉されるように形成され、第１ボディ２５１、第２ボディ２５２、及び弾性部材２５３を含む。
第１ボディ２５１は、ステムハウジング２２０からバルブステム２１０の摺動方向に対して垂直に突出し、ステムハウジング２２０の中空部２２２に連通する内部空間を備える。第１ボディ２５１に結合される第２ボディ２５２は、第１ボディ２５１の突出方向に延び、収容空間Ｓに連通する開口を備える。
【００３２】
弾性部材２５３は、前記開口を閉塞する閉塞部材２５４を付勢する。例えば、閉塞部材２５４は、軟質に形成されて開口を直接閉塞する閉塞材２５４ａと、硬質に形成されて一側は閉塞材２５４ａを収容して他側は弾性部材２５３により支持される収容材２５４ｂとを含む。弾性部材２５３は、両端が第１ボディ２５１の一側と収容材２５４ｂにそれぞれ支持されるスプリングであってもよい。
【００３３】
第１ボディ２５１と第２ボディ２５２とはフック結合してもよい。例えば、第１ボディ２５１には、外周に沿って溝２５１ａが形成され、第２ボディ２５２には、溝２５１ａに係止されるようにフック２５２ａが備えられ、溝２５１ａとフック２５２ａとの間には、第１ボディ２５１と第２ボディ２５２との間が密封されるように密封部材２５５が装着される。
【００３４】
収容空間Ｓが過圧となると、閉塞部材２５４に加えられる圧力が弾性部材２５３を弾性変形させることにより、閉塞部材２５４が前記開口を開放する方向に移動する。前記開口が開放されると、内容物が第１及び第２ボディ２５１、２５２の内部空間を介してステムハウジング２２０の中空部２２２に流入する。
図６に示すように、バルブアセンブリ２００は、排出流路部２６０及び下端シール部２７０を含む。
【００３５】
排出流路部２６０は、過圧防止バルブ２５０が開放されると収容空間Ｓ内の内容物を排出するように、過圧防止バルブ２５０の一端とマウンティングカップ１２０の貫通孔１２４とを連通する。より具体的には、ステムハウジング２２０の中空部２２２の内面とマウント部材２４０の外周面との間に流路２６１が形成され、流路２６１は、第１ボディ２５１の内部空間に連通する連通孔２６２と貫通孔１２４にそれぞれ連結される。
【００３６】
図６を参照すると、貫通孔１２４は下端シール部２７０の上側に位置する。より具体的には、貫通孔１２４は、係止突起１２３と突出部１２２の上端との間に配置される。しかし、これに限定されるものではなく、貫通孔１２４は、係止突起１２３と下端シール部２７０との間に配置されてもよい。貫通孔１２４は、マウンティングカップ１２０の突出部１２２の内側面を貫通するように形成される。すなわち、貫通孔１２４は、マウンティングカップ１２０からハウジング１１０の側面に向かうように形成される。貫通孔１２４は、複数備えられ、突出部１２２の外周に沿って特定の間隔で配置される。
【００３７】
図７を参照すると、流路２６１からの内容物が貫通孔１２４へ流動するように、マウント部材２４０の一端部２４１には、マウンティングカップ１２０の突出部１２２の内側面に向かって突出する流動ガイド２４３が形成される。
流動ガイド２４３は、例えばマウント部材２４０の長手方向への内容物の流動を制限するように、マウント部材２４０の外周面から突出している。流動ガイド２４３は段差を有するように形成され、前記段差を有する部分はステムハウジング２２０の一端に支持される。このために、マウント部材２４０は、少なくとも一部（とりわけ、一端部２４１）がステムハウジング２２０の中空部２２２から外部に突出している。同図に示すように、流動ガイド２４３は、複数備えられ、マウント部材２４０の外周に沿って特定の間隔で配置される。
【００３８】
マウント部材２４０の他端部２４２には、外周に沿って周突起２４４が形成される。周突起２４４により、マウント部材２４０の外周面と中空部２２２の内面との間隔を十分に確保するとともに、開閉部材２３１をより広い面積で支持することができる。
ステムハウジング２２０の一端には、ステムハウジング２２０の長手方向に沿って凹んでステムハウジング２２０の中空部２２２からマウンティングカップ１２０の突出部１２２の内側面に向かって貫通するガイド溝２２４が形成される。ガイド溝２２４は、流路２６１に沿って流動する内容物がハウジング１１０の側面方向に排出されるように、内容物をガイドする。
【００３９】
図６をさらに参照すると、ガイド溝２２４及び流動ガイド２４３により貫通孔１２４にガイドされた内容物は外部に排出される。これに加えて、突出部１２２の上端におけるバルブステム２１０が貫通する部分とバルブステム２１０との隙間からも内容物の排出が可能である。前記隙間は、貫通孔１２４より非常に小さいため、過圧状態の内容物が貫通孔１２４から十分に排出されない場合に内容物の排出を助ける役割を果たす。
【００４０】
もし、内容物の排出をバルブステム２１０の長手方向にのみ行わせると、過圧状態の内容物がガスレンジなどの燃料取付機器の注入口に向けて排出されるはずである。本発明の過圧解消メカニズムによれば、内容物の排出がマウンティングカップ１２０の半径方向に行われるため、より安全な過圧の解消が可能になる。
図５及び図６をさらに参照すると、下端シール部２７０は、マウンティングカップ１２０の半径方向に過圧状態の内容物を排出するように形成されている。下端シール部２７０は、突出部１２２の上下端間が大気圧状態となるように、係止突起１２３の下側に位置する。すなわち、ハウジング１１０の幅方向における突出部１２２の内側面とマウント部材２４０間は大気に直接さらされる。もし、このような密封メカニズムをマウンティングカップ１２０の上端に位置させると、突出部１２２の内側面とマウント部材２４０間は大気圧状態とならないはずである。
【００４１】
より具体的には、下端シール部２７０は、突出部１２２の下端とステムハウジング２２０の外周面間を密封するように形成される。
図６に示すように、下端シール部２７０は、ステムハウジング２２０から半径方向に突出形成される突出枠部２７１と、突出部１２２の下端と突出枠部２７１との間に圧縮された状態で固定されるＯリング２７２とを含む。
【００４２】
突出枠部２７１は、過圧防止バルブ２５０と連結される。例えば、突出枠部２７１は、ステムハウジング２２０の外周に沿って形成され、かつ過圧防止バルブ２５０（とりわけ、第１ボディ２５１のケース）と直接連結されるようになっている。これにより、過圧防止バルブ２５０は、下端シール部２７０と隣接し、開口が上部密封キャップ１１３に対向するように配置される。従って、過圧時、下端シール部２７０または上部密封キャップ１１３が変形する前に、マウンティングカップ１２０または上部密封キャップ１１３を加圧する内容物を迅速に排出する。一般に、上部密封キャップ１１３は加圧力に弱いが、過圧防止バルブ２５０が上部密封キャップ１１３に隣接する部分の気体を流入することによって、噴射容器が変形する前に過圧を解消することができる。
【００４３】
同図に示すように、突出枠部２７１の上面には、Ｏリング２７２が載置されるように、湾曲面２７１ａが形成される。また、突出枠部２７１の外径は、突出部１２２の下端の内径より大きく形成されている。Ｏリング２７２は、クランプなどにより突出部１２２の係止突起１２３が形成されるときに発生する加圧力により、突出部１２２の内面と突出枠部２７１との間に圧縮された状態で固定される。特に、Ｏリング２７２は、突出枠部２７１の湾曲面２７１ａに載置された状態でステムハウジング２２０が固定されると自動的に密閉作用をし、突出部１２２に内挿した後にステムハウジング２２０を固定する従来例に比べて、組立信頼度が改善される。
【００４４】
図８〜図１０は本発明の他の実施形態によるバルブアセンブリの拡大断面図である。本実施形態においては、図６を参照して説明した上記実施形態と同一または類似の構成に関する説明は上記説明を援用する。
図８を参照すると、バルブアセンブリ３００は調節部３８０を含む。
調節部３８０は、過圧防止バルブ３５０の第１ボディ３５１と第２ボディ３５２の少なくとも一方に配置され、弾性部材３５３の初期弾性力を調節する。より具体的には、調節部３８０は、第１ボディ３５１及び第２ボディ３５２の長さを調節するか、または第２ボディ３５２の内部空間の長さを調節するように形成される。従って、バルブアセンブリ３００の組立時、作業者が弾性部材３５３の可変量を調節することができる。
【００４５】
調節部３８０は、例えば収容部３８１及び螺合部３８２を含む。
収容部３８１は、第２ボディ３５２に形成され、第１ボディ３５１の少なくとも一部を収容するか、または第１ボディ３５１の内部空間に挿入される。図８は収容部３８１に第１ボディ３５１の端部が収容された場合を示す。
螺合部３８２は、第２ボディ３５２が回転すると第２ボディ３５２が第１ボディ３５１に沿って移動するように、収容部３８１と第１ボディ３５１を螺合する部分である。例えば、第１ボディ３５１の外周面は、収容部３８１が移動可能な長さとし、密封部材３５５は、収容部３８１の移動によって圧縮量が調節されるようにする。第２ボディ３５２の収容部３８１と第１ボディ３５１の外周面とには、対応するネジ山が形成され、従って、第２ボディ３５２の回転程度によって第１及び第２ボディ３５１、３５２の長さを調節することができる。
【００４６】
このように、調節部３８０は、過圧防止バルブ３５０の圧力範囲を調節する機能を提供する。従って、より動作信頼度に優れた過圧解消メカニズムが実現される。
図９を参照すると、過圧防止バルブ４５０の第１及び第２ボディ４５１、４５２は、ステムハウジング４２０の水平延長部４２０ｂ側に近接して形成される。よって、第１ボディ４５１と水平延長部４２０ｂとの間には、第２ボディ４５２の少なくとも一部が挿入される挿入溝４９１が形成される。
【００４７】
挿入溝４９１には、第１ボディ４５１の外周に挿入される密封部材４５５の半径方向の一部が挿入される。これにより、密封部材４５５の装着がより容易になる。また、挿入溝４９１に第２ボディ４５２の端部が挿入されることにより、第１ボディ４５１と第２ボディ４５２の結合がより強固になる。
図１０を参照すると、過圧防止バルブ５５０は、ボディ５５１、弾性部材５５３、閉塞部材５５４、及び支持部材５５５を含む。
【００４８】
ボディ５５１は、ステムハウジング５２０の中空部５２２に連通する内部空間と、前記内部空間の一端に形成される開口とを備える。ボディ５５１は、１つのボディからなり、ステムハウジング５２０の水平延長部５２０ｂと一体に形成される。より具体的には、ボディ５５１は、水平延長部５２０ｂの外周面に形成され、ステムハウジング５２０の垂直延長部５２０ａから突出している。従って、過圧防止バルブ５５０はより強固になる。
【００４９】
ボディ５５１の内部空間には弾性部材５５３が収容される。弾性部材５５３は、ボディ５５１の開口を閉塞する閉塞部材５５４を付勢する。弾性部材５５３は、両端がボディ５５１と閉塞部材５５４にそれぞれ支持されるスプリングであってもよい。
支持部材５５５は、ボディ５５１の内部空間に収容され、閉塞部材５５４を支持するようにボディ５５１の開口に装着される。支持部材５５５には、ボディ５５１の内部空間と収容空間Ｓ（図５を参照）とを連通するように、貫通孔５５５ａが形成される。
【００５０】
支持部材５５５は、ボディ５５１の内部にフック結合してもよい。ボディ５５１に弾性部材５５３と閉塞部材５５４を配置した後に支持部材５５５を挿入して過圧防止バルブ５５０を製造することにより、組立工程がより簡単になる。
同図に示すように、水平延長部５２０ｂの外周面には、端部に隣接して支持部材５５５が挿入される方向に凹溝５９２が形成される。これにより、支持部材５５５の組立が容易になり、過圧防止バルブ５５０のボディ５５１が水平延長部５２０ｂより短くなる。
【００５１】
しかし、本発明はこれに限定されるものではなく、例えば支持部材５５５とボディ５５１の内部を螺合してもよい。螺合により支持部材５５５がボディ５５１の内部に挿入される程度を調節することができ、これにより、図８を参照して説明した調節部を実現することができる。
本発明による噴射容器及びそのバルブアセンブリは、前記実施形態の構成と作動方式に限定されるものではない。本発明においては、前記各実施形態の全部又は一部を選択的に組み合わせて様々な変形を加えることで様々な実施形態を構成することができる。
【符号の説明】
【００５２】
Ｓ  収容空間
１１０  ハウジング
１２０  マウンティングカップ
１２２  突出部
１２３  係止突起
１２４  貫通孔
２００、３００  バルブアセンブリ
２１０  バルブステム
２１１  オリフィス
２２０、４２０、５２０  ステムハウジング
２２０ａ  垂直設置部
２２０ｂ、４２０ｂ、５２０ｂ  水平延長部
２２２、５２２  中空部
２２４  ガイド溝
２３１  開閉部材
２４０  マウント部材
２４３  流動ガイド
２５０、３５０、４５０、５５０  過圧防止バルブ
２５１、３５１、４５１  第１ボディ
２５１ａ  溝
２５２、３５２、４５２  第２ボディ
２５２ａ  フック
２５３、３５３、５５３  弾性部材
２５４、５５４  閉塞部材
２５５、３５５、４５５  密封部材
２６０  排出流路部
２７０  下端シール部
２７１  突出枠部
２７１ａ  湾曲面
２７２  Ｏリング
３８０  調節部
３８１  収容部
３８２  螺合部
４９１  挿入溝
５２０ａ  垂直延長部
５５１  ボディ
５５５  支持部材
５５５ａ  貫通孔
５９２  凹溝
【図１】
2011240990.tif 000003
【図２】
2011240990.tif 000004
【図３】
2011240990.tif 000005
【図４】
2011240990.tif 000006
【図５】
2011240990.tif 000007
【図６】
2011240990.tif 000008
【図７】
2011240990.tif 000009
【図８】
2011240990.tif 000010
【図９】
2011240990.tif 000011
【図１０】
2011240990.tif 000012